(57)【要約】【課題】メモリ増加を抑えつつ、投影面上の明るさの変化に対しＨＤＲの階調表現が出来る投影装置およびその制御方法を提供すること。【解決手段】投影する画像データの階調値と絶対輝度値との関係を規定する情報に基づいた第１の階調変換特性を取得する第１の取得手段と、投影装置における投影面の最大輝度を取得する第２の取得手段と、第１の階調変換特性と前記最大輝度とに基づいて、少なくとも一部の階調値において前記階調値と絶対輝度値との関係を満たすように第２の階調変換特性を生成する生成手段と、第１の階調変換特性と第２の階調変換特性に基づいて、画像データの輝度レンジを変換した輝度レンジ変換画像を生成する輝度レンジ変換手段と、輝度レンジ変換画像に第１の階調変換特性に基づいた階調変換を適用し、投影手段に供給する適用手段と、を有することを特徴とする。【選択図】図２
2019129464.tif 000002
【特許請求の範囲】
【請求項１】
投影装置であって、
投影する画像データの階調値と絶対輝度値との関係を規定する情報に基づいた第１の階調変換特性を取得する第１の取得手段と、
前記投影装置における投影面の最大輝度を取得する第２の取得手段と、
前記第１の階調変換特性と前記最大輝度とに基づいて、少なくとも一部の階調値において前記階調値と絶対輝度値との関係を満たすように第２の階調変換特性を生成する生成手段と、
前記第１の階調変換特性と第２の階調変換特性に基づいて、画像データの輝度レンジを変換した輝度レンジ変換画像を生成する輝度レンジ変換手段と、
前記輝度レンジ変換画像に第１の階調変換特性に基づいた階調変換を適用し、投影手段に供給する適用手段と、
を有し、前記輝度レンジ変換手段は前記適応手段で前記階調変換特性を適用した後の階調値が、前記画像データに第２の階調変換特性を適応した後の階調値に近づくように輝度レンジ変換画像を生成することを特徴とする投影装置。
【請求項２】
前記第２の取得手段が、前記投影装置の予め定められた基準光量と、スクリーンゲインと、投影サイズとに基づいて前記投影面の最大輝度を取得することを特徴とする請求項１に記載の投影装置。
【請求項３】
前記第２の取得手段が、前記投影装置の設定値によって定まる係数を用いて前記投影面の最大輝度を取得することを特徴とする請求項２に記載の投影装置。
【請求項４】
前記第２の取得手段が、前記投影手段による投影距離と、前記投影手段が有する投影光学系のズーム倍率とに基づいて前記投影サイズを算出することを特徴とする請求項２又は請求項３に記載の投影装置。
【請求項５】
前記第２の取得手段が、前記投影手段が有する投影光学系に含まれるフォーカスレンズの位置および焦点距離に関する情報に基づいて前記投影距離を算出することを特徴とする請求項４に記載の投影装置。
【請求項６】
前記第２の取得手段が、前記投影面を撮影した画像に基づいて前記投影面の最大輝度を取得することを特徴とする請求項１に記載の投影装置。
【請求項７】
前記投影面の画像を撮影する撮像手段をさらに有することを特徴とする請求項６に記載の投影装置。
【請求項８】
投影装置の制御方法であって、
第１の取得手段が、投影する画像データの階調値と絶対輝度値との関係を規定する情報に基づいた第１の階調変換特性を取得する工程と、
第２の取得手段が、前記投影装置における投影面の最大輝度を取得する工程と、
生成手段が、前記第１の階調変換特性と前記最大輝度とに基づいて、少なくも一部の階調値において前記階調値と絶対輝度値との関係を満たすように第２の階調変換特性を生成する工程と、
輝度レンジ変換手段が、前記情報と第２の階調変換特性に基づいて画像データの輝度レンジを変換した輝度レンジ変換画像を生成する工程と、
適用手段が、前記輝度レンジ変換画像に第１の階調変換特性に基づいた階調変換を適用して投影手段に供給する工程と、
を有し、前記輝度レンジ変換手段は前記適応手段で前記階調変換特性を適用した後の階調値が、前記画像データに第２の階調変換特性を適応した後の階調値に近づくように輝度レンジ変換画像を生成することを特徴とする投影装置の制御方法。
【請求項９】
投影装置が有するコンピュータが読み込み実行することで、請求項８の制御方法を機能させるためのプログラム。
【発明の詳細な説明】
【技術分野】
【０００１】
本発明は、投影装置およびその制御方法に関する。
【背景技術】
【０００２】
従来、画像データはＣＲＴ（Ｃａｔｈｏｄ  Ｒａｙ  Ｔｕｂｅ）で表示されることを前提とした規格（例えばＢＴ．７０９（Ｒｅｃ．７０９））で規定される狭いダイナミックレンジに圧縮されていた。
【０００３】
しかし、現在では液晶表示装置などＣＲＴよりダイナミックレンジの広い表示装置が一般的に用いられており、従前の規格に準拠した画像データでは逆に表示装置の能力を十分に活用できない状況が生じている。
【０００４】
そのため、従来よりもダイナミックレンジが広い撮像画像データ（以下、「ＨＤＲ（Ｈｉｇｈ  Ｄｙｎａｍｉｃ  Ｒａｎｇｅ）画像データ」と呼ぶ）を規定する規格が提唱されてきている。ＨＤＲ画像データの規格には例えば、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ：米国テレビ技術者協会）の提唱するＳＴ．２０８４がある。ＳＴ．２０８４規格における信号特性はＥＯＴＦ（Ｅｌｅｃｔｒｏ−Ｏｐｔｉｃａｌ  Ｔｒａｎｓｆｅｒ  Ｆｕｎｃｔｉｏｎ：電気光伝達関数）で規定される。そして、ＳＴ．２０８４のＥＯＴＦは、以下の式１で表され、シーン輝度値（映像信号レベル）を、最大１００００ｎｉｔ（またはｃｄ／ｍ２）の絶対表示輝度範囲に割り当てる（特許文献１）。
【０００５】
【数１】
2019129464.tif 000003
【０００６】
ただし、Ｌは表示輝度（０≦Ｌ≦１、Ｌ＝１が１００００ｎｉｔに対応）、Ｅ’が映像信号レベル（デジタル値）である。また、ｍ１，ｍ２，ｃ１〜ｃ３は定数で、ＳＴ．２０８４では具体的な値が規定されている。ＳＴ．２０８４のＥＯＴＦは、人間の視覚特性に応じた非線形な量子化ステップを有するため、ＰＱ（Ｐｅｒｃｅｐｔｕａｌ  Ｑｕａｎｔｉｚａｔｉｏｎ）カーブとも呼ばれる。
【０００７】
例えばこのようなＨＤＲ画像データを一般的な（ＢＴ．７０９より広いがＳＴ．２０８４より狭いダイナミックレンジを有する）装置で表示する場合、画像データの表示輝度範囲（入力輝度レンジ）が、装置の表示輝度範囲（出力輝度レンジ）より広くなりうる。この場合、入力輝度レンジを出力輝度レンジに合わせて圧縮して表示すると、全体的に暗く表示されてしまう。ダイナミックレンジの圧縮による輝度低下を補正すると、圧縮によって失われた階調の影響で階調性が低下したり、元の階調性が崩れたりする。入力輝度レンジが出力輝度レンジより狭い場合に、入力輝度レンジを出力輝度レンジに合わせて拡張して表示しても、やはり正しい階調で表示されないという問題がある。
【０００８】
上記の課題を解決する為に、特許文献２では投影面の輝度レンジを取得し、それに応じて、投影面がまぶしく見えないように光源を調整し、光量調整量に応じて入力画像に適応するＬＵＴを変えることによってコントラストが改善された画像を生成する。
【０００９】
表示可能な投影面上の輝度の種類が増えると持つべきＬＵＴが増え、必要なメモリが増大になる。
【００１０】
特許文献２に記載の投影装置では、投影装置周辺の明るさや、投影距離によって変化する、投影面上の最小と最大輝度に応じ、投影装置のＬＵＴ（Ｌｏｏｋ  Ｕｐ  Ｔａｂｌｅ）を変える事によって階調性が正しく表現されるようにしている。
【００１１】
例えば、周辺の明るさが明るいと最小輝度が大きくなり、且つ投影距離が大きく投影面上の輝度が小さいと、周辺の明るさによるコントラスト低下の影響は大きくなる。このコントラスト低下を抑制する為に、まず、周辺の明るさが明るくなるまたは、投影距離が大きくなるにつれて投影装置の光量を大きくするような処理をし、周辺の明るさが投影装置のコントラストに与える影響を小さくする。この時、投影装置の光量を変えることによって、最大輝度だけでなく、中間輝度も変化する。全体の輝度バランスを合わせて、階調が正しく表現されるように投影装置のＬＵＴを変更する。
【００１２】
この手法の場合、投影装置は対応出来る投影面上の明るさの種類に応じてＬＵＴを複数種保持する必要がある。前述のＰＱカーブでは表現出来る輝度レンジが１００００ｎｉｔｓと広い為、１０００ｎｉｔｓステップずつ区切って投影面上の輝度変化に対応出来るとしても１０種類必要である。その分、投影装置に持たせるメモリ量は多くなってしまう課題がある。
【先行技術文献】
【特許文献】
【００１３】
【特許文献１】特開２０１５−１５９５４３号公報
【特許文献２】特開２０１５−１４５８９２号公報
【発明の概要】
【発明が解決しようとする課題】
【００１４】
本発明は、メモリ増加を抑えつつ、投影面上の明るさの変化に対しＨＤＲの階調表現が出来る投影装置およびその制御方法の提供を目的とする。
【課題を解決するための手段】
【００１５】
上記の目的を達成するために、本発明に係る投影装置およびその制御方法は、
投影する画像データの階調値と絶対輝度値との関係を規定する情報に基づいた第１の階調変換特性を取得する第１の取得手段と、
前記投影装置における投影面の最大輝度を取得する第２の取得手段と、
前記第１の階調変換特性と前記最大輝度とに基づいて、少なくとも一部の階調値において前記階調値と絶対輝度値との関係を満たすように第２の階調変換特性を生成する生成手段と、
前記第１の階調変換特性と第２の階調変換特性に基づいて、画像データの輝度レンジを変換した輝度レンジ変換画像を生成する輝度レンジ変換手段と、
前記輝度レンジ変換画像に第１の階調変換特性に基づいた階調変換を適用し、投影手段に供給する適用手段と、
を有し、前記輝度レンジ変換手段は前記適応手段で前記階調変換特性を適用した後の階調値が、前記画像データに第２の階調変換特性を適応した後の階調値に近づくように輝度レンジ変換画像を生成することを特徴とする。
【発明の効果】
【００１６】
本発明によれば、メモリ増加を抑えつつ、投影面上の明るさの変化に対しＨＤＲの階調表現が出来る投影装置およびその制御方法を提供する事ができる。
【図面の簡単な説明】
【００１７】
【図１】実施形態における階調変換特性の生成方法を示す図
【図２】実施形態係る投影装置の機能構成例を示すブロック図
【図３】実施形態に係る投影装置の基本動作に関するフローチャート
【図４】第１実施形態における投影動作に関するフローチャート
【図５】実施形態に係る投影装置の設定画面例を示す図
【図６】実施形態に係る輝度変換値の算出方法を示す図
【図７】実施形態に係るメモリ削減量を示す図
【図８】第２および第３実施形態の投影面輝度取得動作に関するフローチャート
【図９】第２実施形態における投影距離の算出動作に関する図
【図１０】第３実施形態における投影面輝度取得動作に関する図
【発明を実施するための形態】
【００１８】
以下、図面を参照して本発明の実施形態を詳細に説明するが、この発明は以下の実施の形態に限定されない。なお、以下の実施の形態は特許請求の範囲に係る発明を限定するものでなく、また実施の形態で説明されている特徴の組み合わせの全てが発明の解決手段に必須のものとは限らない。
【００１９】
なお、本実施形態において説明される各機能ブロックは必ずしも個別のハードウェアである必要はない。すなわち、例えばいくつかの機能ブロックの機能は、１つのハードウェアにより実行されても良い。また、いくつかのハードウェアの連係動作により１つの機能ブロックの機能または、複数の機能ブロックの機能が実行されても良い。また、各機能ブロックの機能は、ＣＰＵがメモリ上に展開したコンピュータプログラムにより実行されても良い。
【００２０】
＜第１の実施形態＞
まず、本件における投影面の明るさに応じ、ＰＱカーブに準じた階調変換特性の算出方法を説明する。
【００２１】
図１に、特許文献２におけるＰＱカーブに準じた階調表現方法の概略図を示す。
【００２２】
図１の細線は前述のＰＱカーブを示しており、横軸は表示面上の輝度［ｎｉｔｓ］、縦軸は映像信号レベル（デジタル信号）、いわゆる階調値を示している。図１の通り、ＰＱカーブは階調値が絶対輝度で紐付いていることが分かる。
【００２３】
まず、表示機器の表示可能な表示面上の最大輝度Ｌｍａｘを取得する。これによって、表示可能な表示輝度レンジを求める。
【００２４】
図１に示す太線が、ある表示装置の入力階調を、ＰＱカーブに準じた対応する表示輝度に変換する表示輝度変換特性となる。入力階調値Ｅ’ｍａｘ以上はこの表示機器の表示面上の表示可能な輝度レンジＬｍａｘ以下の制約により、表現出来ない階調値となる。その為、Ｅ’ｍａｘ以上の階調が入力されてもその表示機器の表示面上の最大表示輝度がＬｍａｘである為、表示面上の輝度は常にＬｍａｘの一定とする。すなわち図２の通り、０〜Ｅ’ｍａｘがＰＱカーブに準じた絶対輝度変換で表現可能な表示階調レンジとなる。
【００２５】
このように表示輝度変換特性を生成するとその表示機器の表示輝度レンジ内では、そのレンジ内の対応するＰＱカーブの階調値における表示輝度を正確に表現することが出来る。
【００２６】
最後に表示輝度レンジを表示装置の対応する階調値に変換する。例えば、表示装置のガンマが２．２に設定されている場合、輝度Ｌを対応する階調値Ｎは以下の式（２）で表せられる。
【００２７】
【数２】
2019129464.tif 000004
【００２８】
以上の工程を経て、表示面上の明るさとＰＱカーブに準じた階調変換特性を生成することが出来る。
【００２９】
しかし、本来連続的な明るさの変化に対して、段階的に複数種類設けて適応的に選択する様な構成の明るさ場合に、前述の階調変換特性を対応出来るその明るさの種類の数だけ保持しようとすると、特許文献２のようにＬＵＴを記憶するメモリ量が増えてしまう。
【００３０】
本件では基準の明るさに適応出来るように生成した階調変換特性から実環境での表示面の明るさによるＬＵＴの違いを吸収するような輝度変換値を入力画像にかけた後に、階調変換特性をかけることによってメモリの増加を抑制する方法を説明する。
【００３１】
図２に、第１実施形態における投影装置の内部構成を表すブロック図を示す。第１実施形態に関わる投影装置２０のブロック図を図２（ａ）に示す。
制御部２１０は、各部の動作を制御し、例えばマイコン、例えばＣＰＵとメモリ等から構成される。投影装置２０を構成する各ブロックへの指示は制御部２１０からなされる。
【００３２】
ＲＡＭ２１１は、ワークメモリとして一時的に制御プログラムやデータを格納する揮発メモリである。
【００３３】
ＲＯＭ２１２は、制御部２１０により使用されるプログラムや、各動作ブロックの設定パラメータや工場調整値等のデータを記憶している不揮発メモリである。カメラ取得ＲＧＢ値を投影装置のＲＧＢ出力階調への変換マトリクス、逆変換マトリクスも含まれる。
【００３４】
操作部２１３は、ユーザからの投影装置２０の操作に関する入力信号を受け付ける。例えば、スイッチやダイヤル、タッチパネルなどからなり、ユーザの指示を受け付ける。操作部２１３は、例えば、リモコンとして機能する外部装置からの信号を受信する信号受信部を有してもよい。制御部２１０は、操作部２１３の操作や、通信部２９３からの入力に応じた動作を実行する。ここで、外部装置は、外部装置の信号受信部が投影装置２０の発信した信号を受信可能で、かつ制御部２１０が認識可能な信号を送信できる任意の電子機器であってよい。このような電子機器には例えば、パーソナルコンピュータ、カメラ、携帯電話、スマートフォン、ハードディスクレコーダ、ゲーム機などが含まれるが、これらに限定されない。
【００３５】
画像入力部２２０は、投影装置２０に入力される画像を読み込み、解像度、フレームレートなどの画像情報も一緒に取得する。
【００３６】
記録媒体２２１は、静止画データや動画データ、その他、本実施形態の投影装置に必要な制御データなどを記録することができるものであり、磁気ディスク、光学式ディスク、半導体メモリなどのあらゆる方式の記録媒体であっても良い。着脱可能な記録媒体や、内蔵型の記録媒体であってもよい。
【００３７】
記録再生部２２２は、記録媒体２２１から静止画データや動画データを再生する。更に、記録再生部２２２は、静止画や動画データを制御部２１０から受信し、記録媒体２２１に記録する。
【００３８】
光源制御部２３０は、光源２６０が出力する光量を制御する。
【００３９】
画像処理部２４０は、入力画像に対し様々な画像処理を施す。詳細に関しては後述する。
【００４０】
光変調素子制御部２５０は、赤色（Ｒ），緑色（Ｇ），青色（Ｂ）の各光変調素子２７０に電圧を印加し、制御するものであって、各光変調素子２７０の光強度を変調する。赤色（Ｒ）の光変調素子では赤色（Ｒ）の光強度を変調する。緑色（Ｇ）、青色（Ｂ）もそれぞれの色の光強度を変調する。
【００４１】
光源２６０は、光変調素子２７０に光を供給する。
【００４２】
光変調素子２７０は、光源２６０から照射された光強度を変調する。
【００４３】
色合成部２８０は、光変調素子２７０Ｒ、２７０Ｇ、２７０Ｂを経た赤色（Ｒ）、緑色（Ｇ）、青色（Ｂ）の光を合成するものであり、例えば、ダイクロイックミラーやプリズムなどからなる。
【００４４】
投影光学系２８１は、光源２６０から供給される光が赤色（Ｒ），緑色（Ｇ），青色（Ｂ）の各光変調素子２７０によって変調されたことで得られる光学像を投影画像として投影する。投影光学系２８１は、複数のレンズ、レンズ駆動用のアクチュエータからなり、レンズをアクチュエータにより駆動することで、投影画像の拡大、縮小、焦点調整などを行うことができ、この駆動は投影光学系制御部２８２によって行われる。
【００４５】
投影光学系制御部２８２は制御用のマイクロプロセッサからなり、投影光学系２８２を制御する。なお、投影光学系制御部２８２は専用のマイクロプロセッサである必要はなく、例えば、ＲＯＭ２１２に記憶されたプログラムを制御部２１０が実行することにより、投影光学系制御部２８２の少なくとも一部の機能を制御部２１０が実現してもよい。
【００４６】
撮像部２９１は、投影光学系が形成する投影画像を撮像する。また、制御部２１０の指示により、シャッタースピードや絞りなどの光学パラメータを変更する。
【００４７】
撮像画像処理部２９２は、撮像部２９１が取得した撮像画像から投影面輝度分布を示す投影領域を切り出した投影領域切り出し画像を生成する。幾つか過去の撮像画像または投影領域切り出し画像を保存出来るようにメモリを保持している。
【００４８】
通信部２９３は、制御部２１０の制御に従って外部機器と制御信号や静止画データ、動画データなどを通信する。通信方法や規格に制限はなく、例えば、無線ＬＡＮ、有線ＬＡＮ、ＵＳＢ、Ｂｌｕｅｔｏｏｔｈ（登録商標）などの１つ以上に準拠した通信を行うことができる。なお、画像入力部１３０が、ＨＤＭＩ（登録商標）に準拠している場合、通信部２９３は画像入力部２２０に接続された外部装置とＣＥＣ通信してもよい。また、画像入力部２２０の端子が、例えばＨＤＭＩ（登録商標）端子であれば、その端子を介してＣＥＣ（Ｃｏｎｓｕｍｅｒ  Ｅｌｅｃｔｒｏｎｉｃ  Ｃｏｎｔｒｏｌ）通信を行うものであっても良い。
【００４９】
投影面輝度取得部２９４は、投影面輝度を取得する。投影面輝度の取得方法は後述する。
【００５０】
入力解析部２９５は、入力画像がＨＤＲ対応フォーマットかを判断する。例えば、入力がＨＤＭＩ２．０ａである場合、入力画像に付属されるＩｎｆｏＦｒａｍｅを読み取り、入力画像がＨＤＲ対応（ＰＱカーブ対応）なのかを判別する。ＩｎｆｏＦｒａｍｅはＳＭＰＴＥ  ＳＴ．２０８６規格で詳細を提示されている。ＰＱカーブに準じた画像が入力される場合、ＩｎｆｏＦｒａｍｅの型のひとつであるＤｙｎａｍｉｃ  Ｒａｎｇｅ  ａｎｄ  Ｍａｓｔｅｒｉｎｇ内のＥＯＴＦに関する領域に、ＳＭＰＴＥ  ＳＴ．２０８４であることを示す情報が格納される。この情報を読み取ることで、ＨＤＲ対応画像が入力されていることを判別することが出来る。また、判別手法はこれに限定するものではない。
【００５１】
また、画像処理部２４０の内部構成の詳細を図２（ｂ）に示す。
【００５２】
補正目標階調変換特性算出部２４０１は、投影面輝度取得部２９４で取得した投影面輝度から補正目標階調変換特性を算出する。この補正目標階調変換特性とは、取得した投影面輝度に適応するようにＰＱカーブに準じて生成された階調変換特性のことである。
【００５３】
輝度変換値算出部２４０２は、算出した補正目標階調変換特性と、投影装置２０が予め保持しているある投影面輝度に適応するようにＰＱカーブに準じて生成された階調変換特性から、入力画像にかける輝度変換値を求める。この輝度変換値は、入力画像に適応すると、その出力に階調変換特性をかけた結果は、単純に入力画像に階調変換特性をかけた時の結果に比べ補正目標との相対誤差が小さくなり、出力結果が補正目標に近くなる。例えば、入出力特性が近似特性になる条件は、ある階調のＭａｘ輝度が補正目標に近づいているなどであり、この限りでは無い。
【００５４】
輝度変換部２４０３は、輝度変換値算出部２４０２が求めた輝度変換値を入力画像に適応する。
【００５５】
階調変換特性処理部２４０４は、輝度レンジ変換部２４０３で出力した画像に対し、階調変換特性を用いて階調変換を行う。
【００５６】
ＯＳＤ重畳部２４０５は、入力画像にＲＯＭ２１２に予め保持していた投影装置２０の画質調整ＧＵＩやテストパターンなどのＯＳＤ（Ｏｎ  Ｓｃｒｅｅｎ  Ｄｉｓｐｌａｙ）を重畳する。
【００５７】
これら画像処理部２４０内を構成しているモジュールの詳細な処理方法は後述する。
【００５８】
＜基本動作＞
図３に示すフローチャートを用いて、本実施形態の投影装置２０の基本動作を説明する。
【００５９】
図３のフローチャートに示す各ステップの動作は基本的に、制御部２１０がＲＯＭ２１２に記憶されたプログラムを実行して、図２に示した機能ブロックを制御することにより実現される。
【００６０】
図３は、操作部２１３や外部装置を通じて投影装置２０の電源オンの指示が入力された時点からの処理を示している。
【００６１】
電源オンの指示が入力されると制御部２１０は、不図示の電源部に投影装置２０の各部に電源を供給させる。
【００６２】
次に制御部２１０は、投影装置２０の表示モードを判定する（Ｓ３０１）。表示モードは例えば操作部２１３や外部装置から指定され、本実施形態の投影装置２０の表示モードは、「入力画像表示モード」、「ファイル再生表示モード」、「ファイル受信表示モード」のいずれかとするが、これらに限定されない。「入力画像表示モード」において投影装置２０は、画像入力部２２０より入力された映像信号に基づく画像を表示する。「ファイル再生表示モード」において投影装置２０は、記録再生部２２２により記録媒体２２１から読み出されたデータに基づく画像を表示する。また、「ファイル受信表示モード」において投影装置２０は、通信部２９３から受信したデータに基づく画像を表示する。なお、電源投入時の表示モードは、前回終了時の表示モードや予め定められた表示モードであってもよい。この場合、必ずしもユーザによる表示モードの指定は必要でない。
【００６３】
ここでは、Ｓ３０１での判定の結果、表示モードが「入力画像表示モード」であるものとして説明する。
【００６４】
「入力画像表示モード」の場合、制御部２１０は、画像入力部２２０から映像信号が入力されているか否かを判定し（Ｓ３０２）、入力されていると判定されなければ待機し、入力されていると判定されれば処理をＳ３０３に進める。
【００６５】
Ｓ３０３で制御部２１０は投影処理を実行する。制御部２１０は、画像入力部２２０から入力された映像信号を画像処理部２４０に送信し、画像処理部２４０に１画面分の画像を生成させる。画像処理部２４０は、映像信号に対して必要な変形処理（例えば画素数、フレームレート、形状）を適用して、１画面分の画像を生成し、光変調素子制御部２５０に送信する。光変調素子制御部２５０は、受信した１画面分の画像の各画素の赤色（Ｒ）、緑色（Ｇ）、青色（Ｂ）の各色成分の階調レベルに対応した透過率となるように、光変調素子２７０Ｒ、２７０Ｇ、２７０Ｂの各画素の透過率を制御する。
【００６６】
また、光源制御部２３０は、光源２６０からの光の出力を例えば撮像部２９１で得られた画像に基づく周囲の明るさに基づいて制御する。光源２６０から出力された光は赤色（Ｒ）、緑色（Ｇ）、青色（Ｂ）の光に分離され、光変調素子２７０Ｒ、２７０Ｇ、２７０Ｂの光源として供給される。光変調素子２７０Ｒ、２７０Ｇ、２７０Ｂで画素ごとに透過率が制御された各色の光は、色合成部２８０で合成され、投影光学系２８１を介して投影される。
【００６７】
制御部２１０は、投影処理におけるこれら各部における一連の動作を制御する。投影処理は、映像信号の入力が検出されなくなったり、表示の終了が指示されたりするまで、順次実行される。
【００６８】
なお、Ｓ３０２〜Ｓ３０５の処理の間に、投影光学系２８１の画角（倍率）やフォーカスの変更指示が操作部２１３から入力されると、制御部２１０は、投影光学系２８１が有するアクチュエータを指示に応じて駆動する。
【００６９】
Ｓ３０４で制御部２１０は、表示モードの切り替え指示が操作部２１３から入力されたか否かを判定し、入力されたと判定されればＳ２１０へ処理を戻し、入力されたと判定されなければＳ３０５へ処理を進める。なお、処理をＳ３０１に戻す場合、制御部２１０は、表示モードを選択させるためのメニュー画面をＯＳＤ画像として画像処理部２４０に送信し、投影中の画像にメニュー画面を重畳表示するように画像処理部２４０を制御する。ユーザは、重畳表示されたメニュー画面を操作部２１３を用いて操作し、所望の表示モードを選択することができる。
【００７０】
一方、Ｓ３０５で制御部２１０は、投影終了の指示が操作部２１３から入力されたか否かを判定し、入力されたと判定されなければＳ３０２に処理を戻し、入力されたと判定されれば電源部から各ブロックへの電源供給を停止させ、処理を終了する。以上の動作により、入力画像表示モードの投影装置２０は画像入力部２２０から入力される映像信号に基づく画像を投影する。
【００７１】
なお、Ｓ３０１で表示モードが「ファイル再生表示モード」であると判定された場合、制御部２１０は、記録媒体２２１のファイルリストや各ファイルのサムネイルデータを記録再生部２２２に読み出させ、ＲＡＭ２１１に一時的に記憶する。そして、制御部２１０は、ＲＡＭ２１１に一時記憶されたファイルリストに基づく文字画像や各ファイルのサムネイルデータに基づいて、ファイル選択画面のデータを生成し、画像処理部２４０に送信する。そして、投影処理（Ｓ３０３）と同様の処理によってファイル選択画面が投影される。
【００７２】
操作部２１３や外部装置を通じ、ファイル選択画面から特定の画像ファイルを選択する指示が入力されると、制御部２１０は、選択された画像ファイルを再生するように記録再生部２２２を制御する。
【００７３】
画像ファイルから再生された画像データは、記録再生部２２２から画像処理部２４０に送信され、画像処理部２４０、光変調素子制御部２５０、光源制御部２３０により、Ｓ３０３と同様の投影処理を通じて投影される。再生対象が動画であれば、フレームごとに再生および投影処理が順次実行される。制御部２１０は、投影光学系２８１に関する操作があった場合の動作や、Ｓ３０４やＳ３０５に示した動作も入力画像表示モードと同様に実行する。
【００７４】
また、Ｓ３０１で表示モードが「ファイル受信表示モード」と判定された場合、制御部２１０は、通信部２９３から受信した静止画データや動画データを、ファイル再生表示モードで記録再生部２２２が再生した画像データと同様にして投影する。制御部２１０は、投影光学系２８１に関する操作があった場合の動作や、Ｓ３０４やＳ３０５に示した動作も入力画像表示モードと同様に実行する。
【００７５】
次に、本実施形態の投影装置２０におけるＨＤＲ画像の表示（投影）動作について説明する。図４に、本実施形態の投影処理に関するフローチャートを示す。
【００７６】
まずに、制御部２１０の指示により、入力解析部２９５は入力画像がＨＤＲ画像なのかを判別する（Ｓ４０１）。入力インターフェースがＨＤＭＩ２．０ａの場合は、前述の通り、ＩｎｆｏＦｒａｍｅ内の、ＥＯＴＦに関する情報を見てＳＴ．２０８４信号なのかを見ることで確認することが出来る。前述の方法は一例であり、ＨＤＲ画像であるか否かを判別する方法はこれに限定しない。
【００７７】
判別の結果、入力画像がＨＤＲ画像であると判別した場合、処理は図４のフローチャートに則りＳ４０２に進む（以下、ＨＤＲモードと呼ぶ）。ＨＤＲ画像では無い、すなわちＳＤＲ画像であると判別した場合、Ｓ４０８に進み、入力画像をＳＤＲ画像として扱う。
【００７８】
Ｓ４０８で制御部２１０、画像処理部２４０、光変調素子制御部２５０、光源制御部２３０は、ｓＲＧＢなど通常のダイナミックレンジを有する画像データ（ＳＤＲ画像データ）の投影動作を実行する。この場合、図３のＳ３０２〜Ｓ３０５と同様の処理を実行すれば良いため、以下の説明を省略する。ＳＤＲ画像データを対象とした一連の投影動作を、ＳＤＲモード動作と呼ぶ。
【００７９】
Ｓ４０１でＨＤＲモードであると判別した場合、制御部２１０の指示により、投影面輝度取得部２９４は投影面の輝度を取得する（Ｓ４０２）。取得方法は様々あるが、実施形態１では投影面輝度取得部２９４は、操作部２１３の不図示のリモコンやタッチパネル等からユーザに投影面の輝度を選択させるような操作をさせて取得する。例えば、投影面の輝度を選択させるＧＵＩを入力画像にＯＳＤとして重畳し、投影することでユーザに投影面輝度の選択肢を与え、不図示のリモコンで選択させる方法がある。図５（ａ）に投影面輝度をユーザに選択させる際のＧＵＩの一例を示す。
【００８０】
図５（ａ）に示すＧＵＩにおいて、「動作モード」により、ＨＤＲ画像を対象とした動作モード（ＨＤＲモード）か、ＳＤＲ画像を対象とした動作モード（ＳＤＲモード）を選択することができる。また、「投影面輝度」によって、投影面上の輝度値を直接指定したりすることができる。項目名を選択する操作に応じて表示される予め用意された選択肢を選択することで各項目についての設定が可能である。例えば図５（ａ）では、項目「投影面輝度」が選択され、設定可能な４つの選択肢のうち、１０００ｎｉｔｓが選択されている状態を示している。この状態で決定指示が入力されると、制御部２１０は選択肢の表示を終了し、投影面輝度として１０００ｎｉｔｓが設定された状態の表示を行う。ＯＳＤの表示終了指示があった場合、制御部２１０は終了確認用の画面を表示させ、設定内容を保存するか保存せずに終了するかを選択させる。図５（ａ）記載のＧＵＩにおいてＨＤＲモードが設定された場合、制御部２１０は処理をＳ４０８に進めＳＤＲとして画像処理をする代わりにＳ４０２に進め、ＨＤＲ画像として取り扱う事ができる。
【００８１】
次に制御部２１０の指示により、補正目標階調変換特性算出部２４０１は補正目標階調変換特性を算出する。投影面の明るさから階調変換特性を算出する方法は、図１を用いて前述した為、省略する。
【００８２】
次に、制御部２１０の指示により、輝度変換値算出部２４０２は入力画像にかける輝度変換値を取得する（Ｓ４０４）。輝度変換値とは、ゲイン、ＬＵＴ、ガンマなど入力画像にかけると入力画像の階調が変わるもの全般を指す。輝度変換値は入力画像にかけることによって、投影面輝度の違いによるＰＱカーブに準じた階調変換特性の違いを吸収することが出来る。図６は、輝度変換値の算出方法を説明する為の概略図である。図６を用いて輝度変換値の算出方法を説明する。
【００８３】
図６の横軸は入力画像の階調値Ｎ、縦軸はＰＱカーブに準じて階調変換した時の出力階調値Ｅ’である。
【００８４】
また、図６の太線は投影装置２０が予め保持している、ある投影面輝度に適応するようにＰＱカーブに準じて生成された階調変換特性である。さらに、細線はＳ４０３の工程で算出した補正目標階調変換特性である。例えば、投影装置２０に設定されていた階調変換特性が適応出来る投影面輝度が、実際の投影面輝度よりも大きかった場合、図６のように太線と細線で示した階調変換特性の形状に差が生じる。前述の輝度変換値を用いることで、この階調変換特性の形状の差を埋めることが出来る。
【００８５】
図６細線で示した補正目標階調変換特性の出力階調Ｅ’が１．０となるときの最小入力階調値をＰＡ、太線で示した投影装置２０が予め保持した階調変換特性の出力階調Ｅ’が１．０となるときの最小入力階調値をＰＢとする。この時、輝度変換値Ｇは式（３）で求まる。
【００８６】
【数３】
2019129464.tif 000005
【００８７】
このように求めた輝度変換値Ｇを入力画像にかけてから、もともと投影装置２０が保持していた階調変換特性をかけると、補正目標階調変換特性を入力画像にかけた結果と近い結果が得られる。
【００８８】
本実施形態ではゲインは出力階調Ｅ’が１．０となる時の入力階調の値から求めたがこの限りでは無い。また、上記の方法では入力階調ＮがＰＡの時は補正目標階調変換特性と同じ出力階調１．０になるが、ＰＡより低階調では一致しない可能性がある。ＰＡより低階調の変換精度を向上させるために、輝度変換値Ｇを複数点で構成されたＬＵＴで持っても良い。
【００８９】
前述のＳ４０３とＳ４０４の手順では、投影装置２０内部で輝度変換値Ｇを投影面輝度と、階調変換特性から算出している。しかし、毎回計算する手間がかかってしまう為、投影面輝度と輝度変換値Ｇを１対１対応させた輝度変換ＬＵＴを予めＲＯＭ２１２に保持し、ＬＵＴを用いることで投影面輝度に応じて輝度変換値Ｇにすぐに変換出来るようにし、計算の手間を省いても良い。
【００９０】
前述の手法で輝度変換値Ｇと階調変換特性を用いると、特許文献２のように投影面輝度に応じて階調変換特性を毎回書き換える構成と比較し、メモリを削減することが出来る。
図７に、本実施形態のメモリ削減量の概略図を示す。図７では一例として、ＨＤＲ対応出来る投影面輝度は１０種類とし、階調変換特性はＰＱカーブで既定されている１２ｂｉｔ（＝４０９５階調）のＬＵＴであるとする。
【００９１】
図７の上段は輝度変換値を使わない従来の手法であり、投影面輝度に合わせて階調変換特性を更新する場合におけるメモリ使用量の概算を示す。白い四角はＬＵＴの１要素を示しており、ＬＵＴの階調分存在する。図７上段に示すように、輝度変換値を使用せず、階調変換特性の方を更新できるように１０種のＬＵＴを保持すると、ＬＵＴの１要素、すなわち四角の数は４０９５０個となる。
【００９２】
一方、図７下段に示すように本実施形態のように輝度変換値を使用する場合、投影面輝度の違いによる階調変換特性の形状の違いは輝度変換値で補うため、輝度変換値はＨＤＲ対応出来る投影面輝度の種類の１０種分必要となる。前述の手法では輝度変換値はあるゲイン値である為、１０個のゲイン値を保持すれば良い。図７は簡単の為、輝度変換値と、階調変換特性を構成するＬＵＴの１要素は同じｂｉｔ数と考え、同じ四角で表現しているが、ｂｉｔ数が異なっていても良い。また、輝度変換値を使用する場合、階調変換特性はある投影面輝度においてＨＤＲ対応出来る、基準となるＬＵＴを１種類保持すれば良い。結果、図７下段に示すように、輝度変換値使用時の四角の数は４１０５となる。すなわち、図７の前提条件のもと、メモリ削減量を計算すると約１０％となる。すなわち、輝度変換値を用いると、従来例と比較し、メモリ増加を抑えつつ、投影面上の明るさの変化に対しＨＤＲの階調表現が可能となる。
【００９３】
次に、制御部２１０の指示により、輝度変換部２４０３は入力画像に取得した輝度変換値をかけて階調変換をする（Ｓ４０５）。入力画像のＲＧＢ各色に同値の輝度変換値をかけて変換を行う。前述のように、投影面輝度は投影装置２０が予め保持する階調変換特性でＨＤＲ変換出来る輝度よりも小さい場合、輝度変換値は１より大きくなる。輝度変換値をかけたことで階調値が飽和した場合は最大階調値でクリップをする。
【００９４】
次に、制御部２１０の指示により、階調変換特性処理部２４０４はＳ４０５の出力結果に階調変換特性に従って階調変換をする（Ｓ４０６）。前述の通り、輝度変換値をかけた入力画像に対し、階調変換特性に基づいた階調変換を施すと、入力画像に補正目標階調変換特性をかけた時と近い出力画像が得られる。すなわち、取得した投影面輝度におけるＨＤＲ対応の画像を作成した時と近い結果が得られていることになる。
【００９５】
最後に、制御部２１０の指示により、光変調素子制御部２５０はＳ４０６の工程で作成した画像に合わせた光変調率を光変調素子２７０ＲＧＢに設定することで、生成した画像を投影する（Ｓ４０７）。
【００９６】
以上の工程を経て、投影面輝度の変化に追従し、ＨＤＲ画像生成して、投影することが出来る。
【００９７】
また、Ｓ４０２の工程で投影面輝度を図５（ａ）のＧＵＩから直接入力してもらい、取得したが、他の投影環境や投影装置２０の画質設定値から得られる明るさ情報を含む設定値を取得し、投影面の明るさをそれらの情報から求めても良い。図５（ｂ）（ｃ）に投影面の明るさ情報を含む設定値の設定ＧＵＩの一例を示す。以下では図５（ｂ）を入力設定画面、図５（ｃ）を映像設定画面と呼ぶ。
【００９８】
図５（ｂ）に示す入力設定画面における、「動作モード」は図５（ａ）に記載のものと同じ機能である為、説明を省略する。
入力設定画面に記載の、「投影サイズ」によって、（予め定められた距離における）投影装置２０による投影像の大きさを指定したり、「スクリーンゲイン」によって、スクリーンゲイン（反射率）を指定したりすることができる。項目名を選択する操作に応じて表示される予め用意された選択肢を選択することで各項目についての設定が可能である。例えば図５（ｂ）では、項目「投影サイズ」が選択され、設定可能な３つの選択肢のうち、１５０インチが選択されている状態を示している。同様に、項目「スクリーンゲイン」では、選択可能な２つの選択肢のうち、ゲイン値１．５が選択されている状態を示している。この状態で決定指示が入力されると、制御部２１０は選択肢の表示を終了し、投影サイズとして１５０インチ、スクリーンゲイン１．５が設定された状態の表示を行う。なお、タブの選択により入力設定画面を映像設定画面（図５（ｃ）や情報表示画面に切り替えることができる。
【００９９】
一方、図５（ｃ）に示す映像設定画面で設定可能な項目のうち、「投影モード」、「明るさ」、「コントラスト」、「ガンマ」、「ランプモード」の設定値は発光量に影響する。そのため、投影面輝度取得部２９４は、これら項目に関する現在設定値に応じた映像設定パラメータの値を決定する。プロジェクタ光量や、設定値と映像設定パラメータの値係数との関係は、例えばＲＯＭ２１２や投影面輝度取得部２９４の内部など、投影面輝度取得部２９４がアクセス可能な不揮発性記憶装置に記憶しておくことができる。
【０１００】
なお、「投影モード」は例えば「プレゼンテーションモード」と「スタンダードモード」のいずれかを設定可能であるものとする。ここで、「プレゼンテーションモード」は映像設定パラメータ１に、「スタンダードモード」は「プレゼンテーションモード」より低い値の映像設定パラメータ（例えば０．９）に対応するものとする。また、「ランプモード」は、「通常」と「省エネルギー」のいずれかを設定可能であり、「通常」は映像設定パラメータ１に、「省エネルギー」は「通常」より低い映像設定パラメータ（例えば０．９）に対応するものとする。他の項目についても同様に、設定可能な値と、対応する映像設定パラメータとの関係が予め定められている。そのため、投影面輝度取得部２９４は、各項目の設定値に対応する映像設定パラメータの値を乗じることにより、最終的な映像設定パラメータの値を決定することができる。なお、ここで述べた、光量に影響する設定項目の種類や設定値と映像設定パラメータとの関係は単なる例示であり、これらに限定されない。また、最終的な映像設定パラメータの値は、予め記憶された、設定値の組み合わせと映像設定パラメータの値との対応を参照して求めるなど、他の方法で求めてもよい。
【０１０１】
図５（ｂ）（ｃ）で示した設定値を用いて、投影面輝度取得部２９４は、予め定められたプロジェクタ光量、受信した投影サイズ、スクリーンゲイン、決定した映像設定パラメータ、に基づいて、例えば以下の式（４）に従って投影面輝度を算出する。なお、投影サイズの単位がインチであれば、投影面輝度取得部２９４は平方メートル単位に換算して式（４）に適用する。
【０１０２】
【数４】
2019129464.tif 000006
【０１０３】
ここで、プロジェクタ光量は、仕様上の値（例えばＪＩＳ  Ｘ  ６９１１：  ２０１５による測定値）であってよい。光量が設定によって変化する場合には、予め定めた基準光量とする。式（４）により、現在の設定で実現される投影面の最大輝度が得られる。
【０１０４】
以上工程を経ることで、ユーザが設定した投影面の明るさ情報を含む設定値から投影面上輝度を取得し、投影面輝度に準じたＨＤＲ画像を生成することが出来る。
【０１０５】
＜第２の実施形態＞
次に、本発明の第２実施形態について説明する。
【０１０６】
本実施形態は、図４のＳ４０２で実行する投影面輝度レンジの取得処理を除いて第１実施形態と同様であってよいため、以下では本実施形態における投影面輝度の取得処理について、図８（ａ）に示すフローチャートを用いて説明する。
【０１０７】
本実施形態では、投影光学系２８１の合焦距離を用いて投影面輝度を取得する。
【０１０８】
制御部２１０の指示により、投影面輝度取得部２９４は、光学系制御部２８２から投影光学系２８１のフォーカスレンズ位置とズームレンズ位置を取得する（Ｓ８０１）。これらのレンズ位置は制御部２１０が光学系制御部２８２から取得して投影面輝度取得部２９４に通知してもよい。
【０１０９】
次に、制御部２１０の指示により、投影面輝度取得部２９４は投影距離を算出する（Ｓ８０２）。例えば投影面輝度取得部２９４は、予めＲＯＭ２１２に記憶したフォーカスレンズの焦点距離と、光変調素子２７０とフォーカスレンズとの最短距離を読み出す。図９（ａ）のように、光変調素子２７０と、投影光学系２８１に含まれ、範囲ａで移動するフォーカスレンズ２８３との最短距離をＡとする。また、フォーカスレンズの焦点距離をＦとする。
【０１１０】
Ｓ８０１で取得したフォーカスレンズ位置は、図９（ａ）に示す位置を０とした距離を示すため、フォーカスレンズ位置と、光変調素子２７０とフォーカスレンズとの最短距離Ａとから、フォーカスレンズと光変調素子２７０との現在距離Ａ’が分かる。光変調素子２７０、投影光学系２８１のフォーカスレンズ２８３、スクリーン９００の位置関係を図９（ｂ）に示す。投影面輝度取得部２９４は、距離Ａ’とフォーカスレンズ２８３の焦点距離Ｆを用いて、レンズの公式、式（５）から、フォーカスレンズ２８３からスクリーン９００の間の距離、つまり投影装置２０の投影距離Ｂを算出することができる。
【０１１１】
【数５】
2019129464.tif 000007
【０１１２】
次に、制御部２１０の指示により、投影面輝度取得部２９４は、例えば予めＲＯＭ２１２に記憶したズームレンズ位置とズーム倍率との関係から、現在のズームレンズ位置をズーム倍率に変換する。そして、投影面輝度取得部２９４は、投影距離Ｂ、ズーム倍率、光変調素子２７０のサイズから、以下の式（６）に従って投影サイズを算出する（Ｓ８０３）。なお、光変調素子２７０のサイズは例えば面積［ｍ２］であってもよいし、縦横方向の大きさや、対角線の大きさとアスペクト比であってもよい。
【０１１３】
【数６】
2019129464.tif 000008
【０１１４】
次に、制御部２１０の指示により、投影面輝度取得部２９４は算出した投影サイズから投影面輝度を算出する（Ｓ８０４）。投影サイズを用いた投影面輝度の算出式は、第１実施形態の式（４）で説明した為、詳細な説明は割愛する。式（４）の投影サイズ以外の設定値の取得方法は第１実施形態と同じである。
【０１１５】
本実施形態によっても第１実施形態と同様の効果が得られる。また、本実施形態では実際の投影距離に基づいて投影サイズを求めているため、投影装置２０と投影面との距離が変化しうる場合、第１実施形態のように設定されている投影サイズを用いる場合よりも精度の良い投影面輝度を得ることができる。
【０１１６】
なお、本実施形態では、フォーカスレンズの位置や焦点距離を用いて投影距離を算出したが、投影装置２０が投影距離を直接測定する構成を備えてもよいし、他の任意の方法で投影距離を取得してもよい。
【０１１７】
＜第３の実施形態＞
次に、本発明の第３実施形態について説明する。
【０１１８】
本実施形態は、図４のＳ４０２で実行する投影面輝度の取得処理を除いて第１実施形態と同様であってよいため、以下では本実施形態における投影面輝度の取得処理について、図８（ｂ）に示すフローチャートを用いて説明する。
【０１１９】
本実施形態では、投影光学系２８１の光軸方向（投影方向）を撮影可能に配置された撮像部２９１を用いて投影面輝度を取得する。
【０１２０】
まず、制御部２１０の指示により、特定の画像（ここでは投影面輝度の最大値を取得するために、全画素の階調値が最大の白画像）を投影するように各部を制御した後、撮像部２９４に投影面の撮影を指示する（Ｓ８１１）。図１０（ａ）は撮像部２９４で得られた画像１０００を模式的に示している。画像１０００において、１００１はスクリーン、１００２は白画像の投影像である。撮像部２９４は、撮影で得られた画像のデータを例えばＲＡＭ２１１に書き込む。
【０１２１】
次に、制御部２１０の指示により、撮像画像処理部２９２はＲＡＭ２１１に保存された画像１０００のうち、投影像１００２の領域の画素値（階調値）を取得もしくは算出する（Ｓ８１２）。ここでは撮像部２９１の光軸と投影光学系２８１の光軸との位置関係から、画像１０００における投影像１００２の中心位置が既知であるものとする。従って撮像画像処理部２９２は画像１０００のうち、投影像の中心位置の画素もしくは中心から所定範囲に含まれる画素の値に基づいて、投影像１００２の階調値を算出する。あるいは、撮像画像処理部２９２は、画像１０００に例えば二値化やハフ変換を適用して投影像１００２の領域を検出し、領域内の全画素値に基づいて階調値を算出してもよい。撮像画像処理部２９２は例えば画素値を平均して階調値を算出することができるが、他の方法を用いて算出してもよい。
【０１２２】
最後に、制御部２１０の指示により、投影面輝度取得部２９４は、Ｓ８１２で算出した階調値を投影面輝度へ変換する（Ｓ８１３）。例えば図１０（ｂ）に示すような階調値と投影面輝度との関係を示すテーブルもしくは変換式を例えばＲＯＭ２１２に予め保存しておくことができる。そして、投影面輝度取得部２９４は、階調値を用いてテーブルを参照するか、階調値を変換式に代入することにより投影面輝度に変換ことができる。変換テーブルは例えば投影装置２０の出荷前に実測するなどしてＲＯＭ２１２に保存しておく。なお、図１０（ｂ）の例では階調値２５５が投影面輝度２０００［ｎｉｔ］に変換され、階調値と投影面輝度とが線形な関係を有するものとしているが、階調値に対する投影面輝度の値や、両者の変化特性はこれに限定されない。
【０１２３】
以上のようにして、投影面輝度取得部２９４は投影面輝度を決定し、制御部２１０に通知する。
【０１２４】
本実施形態によっても第１実施形態と同様の効果が得られる。また、例えば光源が領域ごとに設けられている場合には、光源に対応する領域ごとに投影面輝度を求めることができる。例えば投影像の領域を光源に対応する領域に分割し、分割した領域内の画素に基づいて領域ごとに階調値を求めて投影面輝度に変換すれば良い。
【０１２５】
以上、本発明を例示的ないくつかの実施形態を用いて説明したが、本発明は実施形態に記載された特定の構成に限定されず、特許請求の範囲に規定される発明の範囲内で様々な変形及び変更が可能である。
【０１２６】
＜第４の実施形態＞
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２７】
２０    投影装置、２１０  制御部、２２０  画像入力部、２４０  画像処理部、
２５０  光変調素子制御部、２６０  光源、２７０  光変調素子、
２８１  投影光学系、２９４  投影面輝度取得部、２９５  入力解析部
【図１】
2019129464.tif 000009
【図２】
2019129464.tif 000010
【図３】
2019129464.tif 000011
【図４】
2019129464.tif 000012
【図５】
2019129464.tif 000013
【図６】
2019129464.tif 000014
【図７】
2019129464.tif 000015
【図８】
2019129464.tif 000016
【図９】
2019129464.tif 000017
【図１０】
2019129464.tif 000018